(57)【要約】【課題】部品点数が少なく、基板の所定の箇所に磁気ヘッド組立体を押しつけるだけで取り付けることが可能な磁気ヘッド組立体の取付構造を提供する。【解決手段】シャーシ基板に磁気ヘッド組立体を取り付ける取付構造であり、シャーシ基板は、挿入孔２１ｂが設けられた底板２１と底板２１から立設された壁板２２とから構成されるとともに壁板２２の一部が折曲されて係合部２２ａが形成されてなり、磁気ヘッド組立体には、媒体摺動面を有する略柱状の本体部５１ａと本体部５１ａの一端側に取り付けられた脚部５１ｂとが備えられ、挿入孔２１ｂに脚部５１ｂを挿入させるとともに本体部５１ａを係合部２２ａに係合させることを特徴とする磁気ヘッド組立体の取付構造を採用する。【選択図】        図４
2004253090.tif 000002
【特許請求の範囲】
【請求項１】
シャーシ基板に磁気ヘッド組立体を取り付ける取付構造であり、
前記シャーシ基板は、一辺寄りに挿入孔が設けられた底板と該底板の一辺から立設された壁板とから構成されるとともに前記壁板の一部が前記底板とほぼ平行に折曲されて係合部が形成されてなり、
前記磁気ヘッド組立体には、媒体摺動面を有する略柱状の本体部と該本体部の一端側に取り付けられた脚部とが備えられ、
前記挿入孔に前記脚部を挿入させるとともに前記本体部を前記係合部に係合させることにより、前記シャーシ基板に磁気ヘッド組立体が取り付けられることを特徴とする磁気ヘッド組立体の取付構造。
【請求項２】
前記本体部の他端に被係合部を設け、前記挿入孔に前記脚部を挿入させ、前記本体部を前記底板と前記係合部との間にはめ込ませて前記被係合部を前記係合部に係合させることを特徴とする請求項１に記載の磁気ヘッド組立体の取付構造。
【請求項３】
前記本体部の前記媒体摺動面と隣接する両側面のうちのいずれか一方または両方に被係合部を突出形成させ、前記挿入孔に前記脚部を挿入させ、前記被係合部を前記底板と前記係合部との間にはめ込ませて前記被係合部を前記係合部に係合させることを特徴とする請求項１に記載の磁気ヘッド組立体の取付構造。
【請求項４】
前記係合部に係合穴を設け、前記被係合部には前記係合穴に係合させる係合凸部を設けることを特徴とする請求項１ないし請求項３のいずれかに記載の磁気ヘッド組立体の取付構造。
【請求項５】
前記挿入孔の内面に、前記脚部に圧接される複数の圧接凸部を設けることを特徴とする請求項１に記載の磁気ヘッド組立体の取付構造。
【請求項６】
前記挿入孔の内面と前記脚部との間に充填材を充填させることを特徴とする請求項１に記載の磁気ヘッド組立体の取付構造。
【請求項７】
前記本体部の前記媒体摺動面と反対側に位置する背面部を、前記シャーシ基板の壁面に添わせることを特徴とする請求項１に記載の磁気ヘッド組立体の取付構造。
【請求項８】
前記壁板の一部が折り曲げられて側部係合部が設けられ、該側部係合部が前記本体部の前記側面に係合されていることを特徴とする磁気ヘッド組立体の取付構造。
【発明の詳細な説明】
【０００１】
【発明の属する技術分野】
本発明は、シャーシ基板に磁気ヘッド組立体を取り付ける取付構造に関するものであり、特に、ビデオテープレコーダ用の全幅消去ヘッドをシャーシ基板に取り付ける際の取付構造に関するものである。
【０００２】
【従来の技術】
通常、家庭用のビデオテープレコーダ（以下、ＶＴＲと記載する）には、回転シリンダの上流側に、ビデオテープに書き込まれた磁気信号を消去するための全幅消去ヘッド組立体（以下、磁気ヘッド組立体と記載する）が組み込まれている。例えば下記特許文献１には、ＶＴＲ内に内蔵された基板に磁気ヘッド組立体をネジ止めにより固定した例が開示されている。尚、通常のＶＴＲのシャーシ基板には、磁気ヘッド組立体の他に、映像ヘッドを備えた回転シリンダや、ビデオテープを回転シリンダに巻き付けるガイドポストや、音声用磁気ヘッドや、ビデオテープを走行させるキャプスタン等が取り付けられている。
【０００３】
また、ネジ止め以外の手段で基板に磁気ヘッド組立体を取り付けた例として、下記特許文献２，３に記載されたものが知られている。
【０００４】
【特許文献１】
特開平１０−１１２０１２号公報
【特許文献２】
特開平６−３４９０３４号公報
【特許文献３】
特開平９−１６７３０６号公報
【０００５】
【発明が解決しようとする課題】
しかし、上記特許文献１に記載の取付構造では、ネジ止めするために磁気ヘッド組立体にボスを設ける必要があり、磁気ヘッド組立体の成形が煩雑になるという問題があった。またネジを必要とすることから部品点数が増加し、更に取付の際にネジ止めの工程が必要となるため、磁気ヘッド組立体の取付を低コストで行うことができなかった。
また、上記特許文献２または３に記載の取付構造では、磁気ヘッド組立体及び基板の他に別個の部材が必要となり、部品点数が増加して磁気ヘッド組立体の取付を低コストで行うことができなかった。
【０００６】
本発明は、上記の課題を解決するためになされたものであって、部品点数が少なく、基板の所定の箇所に磁気ヘッド組立体を押しつけるだけで取り付けることが可能な磁気ヘッド組立体の取付構造の提供を目的とする。
【０００７】
【課題を解決するための手段】
上記の目的を達成するために、本発明は以下の構成を採用した。
本発明の磁気ヘッド組立体の取付構造は、シャーシ基板に磁気ヘッド組立体を取り付ける取付構造であり、前記シャーシ基板は、一辺寄りに挿入孔が設けられた底板と該底板の一辺から立設された壁板とから構成されるとともに前記壁板の一部が前記底板とほぼ平行に折曲されて係合部が形成されてなり、前記磁気ヘッド組立体には、媒体摺動面を有する略柱状の本体部と該本体部の一端側に取り付けられた脚部とが備えられ、前記挿入孔に前記脚部を挿入させるとともに前記本体部を前記係合部に係合させることにより、前記シャーシ基板に磁気ヘッド組立体が取り付けられることを特徴とする。
【０００８】
かかる磁気ヘッド組立体の取付構造によれば、シャーシ基板を構成する壁板の一部を折り曲げて係合部を設け、この係合部によって略柱状の本体部を固定するので、別個に固定用の部品を追加する必要がなく、またネジ止めの必要もなく、磁気ヘッド組立体を固定できる。
【０００９】
また本発明の磁気ヘッド組立体の取付構造は、先に記載の磁気ヘッド組立体の取付構造であり、前記本体部の他端に被係合部を設け、前記挿入孔に前記脚部を挿入させ、前記本体部を前記底板と前記係合部との間にはめ込ませて前記被係合部を前記係合部に係合させることを特徴とする。
【００１０】
かかる磁気ヘッド組立体の取付構造によれば、本体部を底板と係合部との間にはめ込ませて固定するので、ビデオテープが摺動しても本体部が当該テープに引きずられて傾くおそれがない。
【００１１】
また本発明の磁気ヘッド組立体の取付構造は、先に記載の磁気ヘッド組立体の取付構造であり、前記本体部の前記媒体摺動面と隣接する両側面のうちのいずれか一方または両方に被係合部を突出形成させ、前記挿入孔に前記脚部を挿入させ、前記被係合部を前記底板と前記係合部との間にはめ込ませて前記被係合部を前記係合部に係合させることを特徴とする。
【００１２】
かかる磁気ヘッド組立体の取付構造によれば、本体部から突出させた被係合部を底板と係合部との間にはめ込ませて固定するので、ビデオテープが摺動しても本体部が当該テープに引きずられて傾くおそれがない。
【００１３】
また本発明の磁気ヘッド組立体の取付構造は、先に記載の磁気ヘッド組立体の取付構造であり、前記係合部に係合穴を設け、前記被係合部には前記係合穴に係合させる係合凸部を設けることを特徴とする。
【００１４】
かかる磁気ヘッド組立体の取付構造によれば、被係合部に対する係合部の固定力を高めることができ、磁気ヘッド組立体を確実に固定できる。
【００１５】
また本発明の磁気ヘッド組立体の取付構造は、先に記載の磁気ヘッド組立体の取付構造であり、前記挿入孔の内面に、前記脚部に圧接される複数の圧接凸部を設けることを特徴とする。
【００１６】
かかる磁気ヘッド組立体の取付構造によれば、前記挿入孔の内面に圧接凸部を設けることで、挿入孔内部での脚部のぐらつきを防止することができ、磁気ヘッド組立体を確実に固定できる。
【００１７】
また本発明の磁気ヘッド組立体の取付構造は、先に記載の磁気ヘッド組立体の取付構造であり、前記挿入孔の内面と前記脚部との間に充填材を充填させることを特徴とする。
【００１８】
かかる磁気ヘッド組立体の取付構造によれば、挿入孔の内面と脚部との間に充填材を充填させることで、挿入孔内部での脚部のぐらつきを防止することができ、磁気ヘッド組立体を確実に固定できる。
【００１９】
また本発明の磁気ヘッド組立体の取付構造は、先に記載の磁気ヘッド組立体の取付構造であり、前記本体部の前記媒体摺動面と反対側に位置する背面部を、前記シャーシ基板の壁面に添わせることを特徴とする。
【００２０】
かかる磁気ヘッド組立体の取付構造によれば、背面部をシャーシ基板の壁面に添わせることにより、磁気ヘッド組立体をシャーシ基板に取り付ける際の位置合わせが容易になる。
【００２１】
また本発明の磁気ヘッド組立体の取付構造は、先に記載の磁気ヘッド組立体の取付構造であり、前記壁板の一部が折り曲げられて側部係合部が設けられ、該側部係合部が前記本体部の前記側面に係合されていることを特徴とする。
【００２２】
かかる磁気ヘッド組立体の取付構造によれば、側部係合部が本体部の前記側面に係合されているので、ビデオテープが摺動しても本体部が当該テープに引きずられて傾くおそれがない。
【００２３】
【発明の実施の形態】
（第１の実施形態）
以下、本発明の第１の実施形態を図面を参照して説明する。
図１に本発明に係る磁気ヘッド組立体を備えたテープ媒体記録再生装置Ｍの平面模式図を示し、図２にはテープ媒体記録再生装置Ｍの正面模式図を示す。
図１及び図２に示すテープ媒体記録再生装置Ｍは、ＶＴＲ等の機器に用いられるもので、一方向に回転駆動される回転シリンダ１にテープリール１１から引出された磁気テープ媒体Ｔが巻き掛けられてなるテープローディング系路を具備して構成されている。このテープローディング系路には、図１に示すように、テープリール１１から引出された磁気テープ媒体Ｔを案内して回転シリンダ１に巻き付けるために回転シリンダ１の上流側と下流側にそれぞれ設けられた一対のガイドポスト１３ａ、１３ｂと、磁気テープ媒体Ｔを走行させるために回転シリンダ１の下流側に設けられたキャプスタン１４と、キャプスタン１４とともに磁気テープ媒体Ｔを挟んで走行させるローラ１５と、回転シリンダ１の上流側に備えられた本発明に係る消去用の磁気ヘッド組立体５１とが備えられて構成されている。
また回転シリンダには映像用の磁気ヘッド３１，４１が備えられている。更にガイドポスト１３ｂとキャプスタン１４及びローラの間には音声用の磁気ヘッド５２が備えられている。
【００２４】
また、図１及び図２に示すテープ媒体記録再生装置Ｍには、シャーシ基板２０が備えられている。このシャーシ基板２０は、底板２１と、底板２１の一辺２１ａから折り曲げられて立設された壁板２２とから構成されている。底板２１の一辺２１ａは、底板２１と壁板２２との折曲げ線に沿う辺である。また底板２１上には、先に説明した回転シリンダ１、ガイドポスト１３ａ、１３ｂ、キャプスタン１４、ローラ１５、音声用磁気ヘッド５２及び磁気ヘッド組立体５１が配置されている。
また、底板２１には、ガイドポスト１３ａ、１３ｂを案内するためのガイド穴１３ｃ、１３ｄが設けられている。このガイド穴１３ｃ、１３ｄは、テープリール１１，１２近傍から回転シリンダ１近傍に至る間に渡って設けられており、ガイドポスト１３ａ、１３ｂによって磁気テープ媒体Ｔを引き出す際にガイドポスト１３ａ、１３ｂを案内できるようになっている。
【００２５】
次に、図３及び図４により、本発明の磁気ヘッド組立体の取付構造について説明する。図３には磁気ヘッド組立体の取付構造の平面模式図を示し、図４には磁気ヘッド組立体取付構造の正面模式図を示す。また図５に磁気ヘッド組立体の要部の斜視図を示し、図６にシャーシ基板２０の要部の平面図を示す。
磁気ヘッド組立体５１は、図４に示すように、媒体摺動面６１ａを有する略柱状の本体部５１ａと、本体部５１ａの一端側に取り付けられた脚部５１ｂと、本体部５１ａの内部に収納された図示略の磁気ヘッドとから概略構成されている。媒体摺動面６１ａには磁気ギャップ６１ｂが設けられている。また図４及び図５に示すように、磁気ヘッド組立体５１の本体部５１ａには媒体摺動面６１ａが設けられている。すなわち、この磁気ヘッド組立体５１は、本体部５１ａと脚部５１ｂを構成する樹脂製のホルダ７１と、ホルダ７１の本体部５１ａ内に収納された磁気ヘッドとから概略構成されている。また、ホルダ７１の本体部５１ａには窓部７２が設けられており、磁気ヘッドの媒体摺動面６１ａがこの窓部７２から露出されている。
また図５に示すように、本体部５１ａの他端側に被係合部５１ｃが設けられている。すなわち、本体部の他端寄りの一面が被係合部５１ｃとされている。また、この被係合部５１ｃには係合凸部５１ｄが設けられている。
【００２６】
また、図６に示すように、シャーシ基板２０の底板２１には、一辺２１ａ寄りに位置する挿入孔２１ｂが設けられている。この挿入孔２１ｂは平面視略矩形であって、底板２１の一辺２１ａに対してやや傾斜した状態で設けられている。また、シャーシ基板２０の壁板２２には、壁板２２の一部が底板２１とほぼ平行に折曲されてなる係合部２２ａが設けられている。この係合部２２ａには係合穴２２ｂが設けられている。
【００２７】
そして、図３及び図４に示すように、磁気ヘッド組立体５１の脚部５１ｂが挿入孔２１ｂに挿入されている。挿入孔２１ｂの形状が脚部５１ｂの断面形状と相似形とされ、更に脚部５１ｂが本体部５１ａよりもやや細く形成されているので、磁気ヘッド組立体５１の脚部５１ｂのみが挿入孔２１ｂに挿入され、本体部５１ａ側が挿入孔２１ｂにより係止されて底板２１上に立設される状態となる。
更に、挿入孔２１ｂが底板２１の一辺２１ａに対して傾斜した状態で設けられているので、磁気ヘッド組立体５１の本体部５１ａが底板２１の一辺２１ａに対して傾斜した状態で取り付けられる。これにより、媒体摺動面６１ａが一辺２１ａに対して傾斜した方向に向くことになるが、図１に示すように磁気テープ媒体Ｔが一辺２１ａに対して斜め方向に走行するので、媒体摺動面６１ａと磁気テープ媒体Ｔとが安定して接するようになる。
【００２８】
次に図３及び図４に示すように、磁気ヘッド組立体５１の被係合部５１ｃと壁板２２の係合部２２ａとが係合されている。被係合部２２ａが底板２１とほぼ平行に折曲されているので、本体部５１ａが底板２１と係合部２２ａとにより挟まれた状態になる。またこのとき、係合部２２ａに設けられた係合穴２２ｂと被係合部５１ｃに設けられた係合凸部５１ｄとが係合するので、係合部２２ａと被係合部５１ｃとが確実に固定され、これらが外れてしまうおそれがない。このようにして磁気ヘッド組立体５１がシャーシ基板２０に取り付けられる。
【００２９】
上記の磁気ヘッド組立体５１の取付構造によれば、シャーシ基板２０を構成する壁板２２の一部を折り曲げて係合部２２ａを設け、この係合部２２ａによって略柱状の本体部５１ａを固定するので、別個に固定用の部品を追加する必要がなく、またネジ止めの必要もなく、磁気ヘッド組立体５１を容易に固定できる。
また、本体部５１ａを底板２１と係合部２２ａとの間にはめ込ませて固定するので、磁気テープ媒体Ｔが摺動した場合でも本体部５１ａが磁気テープ媒体Ｔに引きずられて傾くおそれがない。
【００３０】
（第２の実施形態）
次に、図７には、本実施形態の磁気ヘッド組立体の取付構造の要部平面図を示し、図８には本実施形態の磁気ヘッド組立体の取付構造の要部正面図を示す。
尚、図７及び図８に示す構成要素のうち、図１〜図６に示した第１の実施形態の磁気ヘッド組立体の取付構造の構成要素と同一の構成要素には同一符号を付してその説明を省略する。本実施形態と第１の実施形態との相違点は、壁板２２の一部を折り曲げて側部係合部２２ｃを設け、この側部係合部２２ｃを本体部５１ａの側面５１ｅに係合させた点である。
【００３１】
図７及び図８に示すように、本実施形態のシャーシ基板２０の壁板２２には側部係合部２２ｃが設けられている。この側部係合部２２ｃは、係合部２２ａの下側にある壁板２２の一部を折り曲げて形成されてなるもので、底板２１及び係合部２２ａと直交する関係になっている。また、この側部係合部２２ｃは、底板２１の一辺２１ａに対する挿入孔２１ｂの傾斜角度、即ち一辺２１ａに対する本体部５１ａの傾斜角度に対応して、壁板２２の法線方向よりも傾いた角度で取り付けられている。
そして、図７及び図８に示すように、側部係合部２２ｃが磁気ヘッド組立体５１の本体部５１ａの側面５１ｅに係合されている。側部係合部２２ｃの取付角度が本体部５１ａの傾斜角度に対応するため、側部係合部２２ｃと本体部５１ａの側面５１ｅとが相互に平行に接することになる。
【００３２】
上記の磁気ヘッド組立体５１の取付構造によれば、底板２１と係合部２２ａとで磁気ヘッド組立体５１を挟むとともに、側部係合部２２ｃで磁気ヘッド組立体５１の側面５１ｅを固定するので、磁気ヘッド組立体５１をシャーシ基板２０に確実に取り付けることができる。特に、磁気テープ媒体Ｔが摺動した際に、磁気ヘッド組立体５１に対して磁気テープ媒体Ｔの走行方向に沿って引っ張り応力が印加された場合でも、側部係合部２２ｃによって磁気ヘッド組立体５１が固定されているので、本体部５１ａが磁気テープ媒体Ｔに引きずられて傾くおそれがない。
【００３３】
（第３の実施形態）
次に、図９には、本実施形態の磁気ヘッド組立体の取付構造の要部平面図を示す。
尚、図９に示す構成要素のうち、図１〜図６に示した第１の実施形態の磁気ヘッド組立体の取付構造の構成要素と同一の構成要素には同一符号を付してその説明を省略する。本実施形態と第１の実施形態との相違点は、本体部５１ａの媒体摺動面６１ａと反対側に位置する背面部５１ｆを、シャーシ基板２０の壁板２２に添わせた点である。
【００３４】
図９に示すように、本実施形態の磁気ヘッド組立体においては、本体部５１ａの媒体摺動面６１ａと反対側に位置する背面５１ｆ（背面部）が、シャーシ基板２０の壁板２２に添うように形成されている。こうすることで、磁気ヘッド組立体５１をシャーシ基板２０に取り付ける際の位置合わせが容易になる。
【００３５】
（第４の実施形態）
次に、図１０に本実施形態の磁気ヘッド組立体の取付構造を備えたテープ媒体記録再生装置Ｍの平面模式図を示し、図１１にはテープ媒体記録再生装置Ｍの正面模式図を示す。また図１２には、本実施形態の磁気ヘッド組立体の取付構造の要部平面図を示し、図１３には本実施形態の磁気ヘッド組立体の取付構造の要部正面図を示す。
尚、図１０〜図１３に示す構成要素のうち、図１〜図６に示した第１の実施形態の磁気ヘッド組立体の取付構造の構成要素と同一の構成要素には同一符号を付してその説明を省略する。本実施形態と第１の実施形態との相違点は、本体部５１ａの両側面５１ｅ、５１ｅの一方または両方に被係合部５１ｇ、５１ｇを突出形成させ、この被係合部５１ｇ、５１ｇを底板２５と係合部２７ａ、２７ａとの間にはめ込ませた点である。
【００３６】
図１０〜図１３に示すように、本実施形態の磁気ヘッド組立体５１は、媒体摺動面６１ａを有する略柱状の本体部５１ａと、本体部５１ａの一端側に取り付けられた脚部５１ｂと、本体部５１ａの内部に収納された図示略の磁気ヘッドとから概略構成されている。磁気ヘッド組立体５１の本体部５１ａには媒体摺動面６１ａが設けられている。また本体部５１ａの媒体摺動面６１ａと隣接する両側面５１ｅ、５１ｅには、一対の被係合部５１ｇ、５１ｇが突出形成されている。この一対の被係合部５１ｇ、５１ｇは、本体部５１ａの脚部５１ｂ寄りに設けられている。またこの被係合部５１ｇ、５１ｇは、磁気ヘッド組立体５１の脚部５１ｂが挿入孔２５ｂに挿入された際に底板２６上に配置されるようになっている。
また、シャーシ基板２５の壁板２２には、壁板２７の一部が底板２６とほぼ平行に折曲されてなる一対の係合部２７ａ、２７ａが設けられている。この一対の係合部２７ａ、２７ａは、磁気ヘッド組立体５１の被係合部５１ｇ、５１ｇに対応する位置に形成されている。
【００３７】
そして、図１２及び図１３に示すように、磁気ヘッド組立体５１の脚部５１ｂが挿入孔２６ｂに挿入されている。挿入孔２６ｂの形状は脚部５１ｂの断面形状と相似形とされ、更に脚部５１ｂが本体部５１ａよりもやや細く形成されているので、磁気ヘッド組立体５１の脚部５１ｂのみが挿入孔２６ｂに挿入され、本体部５１ａ側が挿入孔２６ｂにより係止されて底板２６上に立設される状態となる。
更に、挿入孔２６ｂが底板２６の一辺２６ａに対して傾斜した状態で設けられているので、磁気ヘッド組立体５１の本体部５１ａが底板２６の一辺２６ａに対して傾斜した状態で取り付けられる。
また、図１２及び図１３に示すように、磁気ヘッド組立体５１の被係合部５１ｇ、５１ｇと壁板２７の係合部２７ａ、２７ａとが係合される。被係合部５１ｇ、５１ｇが底板２６とほぼ平行に折曲され、しかも被係合部２７ａ、２７ａが底板２６上に配置されているので、被係合部５１ｇ、５１ｇが底板２６と係合部２７ａ、２７ａとにより挟まれた状態になる。このようにして、一対の係合部２７ａ、２７ａの間に本体部５１ａが配置される形で、磁気ヘッド組立体５１がシャーシ基板２５に取り付けられる。
【００３８】
上記の磁気ヘッド組立体５１の取付構造によれば、本体部５１ａから突出させた被係合部５１ｇ、５１ｇを底板２６と係合部２７ａ、２７ａとの間にはめ込ませて固定するので、磁気ヘッド組立体５１をシャーシ基板２５に確実に取り付けることができる。特に、磁気テープ媒体Ｔが摺動した際に、磁気ヘッド組立体５１に対して磁気テープ媒体Ｔの走行方向に沿って引っ張り応力が印加された場合でも、一対の係合部２７ａ、２７ａの間に本体部５１ａが配置される形で磁気ヘッド組立体５１が固定されているので、本体部５１ａが磁気テープ媒体Ｔに引きずられて傾くおそれがない。
【００３９】
以上のように、本発明の実施形態について様々な例を挙げて説明したが、本発明は上記実施形態の内容に限定されるものではない。
例えば、シャーシ基板２０，２５の底板２１，２６に設けた挿入孔２１ｂ、２６ｂの形状については、平面視略矩形に限定されるものではなく、挿入孔の内面に、脚部に圧接される複数の圧接凸部を設けてもよい。
図１４及び図１５には挿入孔の内面に圧接凸部を設けた例を示す。図１４に示す挿入孔９１には合計８つの圧接凸部９１ａ…が設けられており、また図１５に示す挿入孔９２には合計２つの圧接凸部９２ａ、９２ａが設けられている。また図１４及び図１５に示された一点鎖線は、磁気ヘッド組立体の脚部を断面視した場合の仮想線である。
図１４及び図１５に示すように、挿入孔９１，９２に脚部が挿入されると、圧接凸部９１ａ、９２ａが脚部に接して脚部を保持した状態になる。これにより、挿入孔内部での脚部のぐらつきを防止することができ、磁気ヘッド組立体を確実に固定できる。
【００４０】
また、挿入孔の内面と脚部との間に充填材を充填させても良い。具体的には、図１６に示すように、挿入孔９３の内面にブッシュ９３ａを挿入しても良く、また磁気ヘッド組立体を挿入孔に挿入した後に、磁気ヘッド組立体の脚部と挿入孔との隙間に樹脂等を充填しても良い。これにより、挿入孔内部での脚部のぐらつきを防止することができ、磁気ヘッド組立体を確実に固定できる。
【００４１】
【発明の効果】
以上、詳細に説明したように、本発明の磁気ヘッド組立体の取付構造によれば、シャーシ基板を構成する壁板の一部を折り曲げて係合部を設け、この係合部によって略柱状の本体部を固定するので、別個に固定用の部品を追加する必要がなく、またネジ止めの必要もなく、磁気ヘッド組立体を固定できる。
また、本体部を底板と係合部との間にはめ込ませて固定するので、ビデオテープが摺動しても本体部が当該テープに引きずられて傾くおそれがない。
更に、本体部から突出させた被係合部を底板と係合部との間にはめ込ませて固定するので、ビデオテープが摺動しても本体部が当該テープに引きずられて傾くおそれがない。
【図面の簡単な説明】
【図１】本発明の第１の実施形態に係る磁気ヘッド組立体を備えたテープ媒体記録再生装置の平面模式図。
【図２】図１に示したテープ媒体記録再生装置の正面模式図。
【図３】本発明の第１の実施形態の磁気ヘッド組立体の取付構造を示す平面模式図。
【図４】本発明の第１の実施形態の磁気ヘッド組立体の取付構造を示す正面模式図。
【図５】本発明の第１の実施形態に係る磁気ヘッド組立体の要部を示す斜視図。
【図６】本発明の第１の実施形態に係るシャーシ基板の要部を示す平面図。
【図７】本発明の第２の実施形態の磁気ヘッド組立体の取付構造を示す平面模式図。
【図８】本発明の第２の実施形態の磁気ヘッド組立体の取付構造を示す正面模式図。
【図９】本発明の第３の実施形態の磁気ヘッド組立体の取付構造を示す平面模式図。
【図１０】本発明の第４の実施形態に係る磁気ヘッド組立体を備えたテープ媒体記録再生装置の平面模式図。
【図１１】図１０に示したテープ媒体記録再生装置の正面模式図。
【図１２】本発明の第４の実施形態の磁気ヘッド組立体の取付構造を示す平面模式図。
【図１３】本発明の第４の実施形態の磁気ヘッド組立体の取付構造を示す正面模式図。
【図１４】シャーシ基板の底板に設けた挿入孔の平面視形状の一例を示す模式図。
【図１５】シャーシ基板の底板に設けた挿入孔の平面視形状の他の例を示す模式図。
【図１６】シャーシ基板の底板に設けた挿入孔に充填材を配置した例を示す模式図。
【符号の説明】
２０，２５…シャーシ基板、２１，２６…底板、２１ａ、２６ａ…一辺、２１ｂ、２６ｂ…挿入孔、２２，２７…壁板、２２ａ、２７ａ…係合部、２２ｂ…係合穴、２２ｃ…側部係合部、５１…磁気ヘッド組立体、５１ａ…本体部、５１ｂ…脚部、５１ｃ、５１ｇ…被係合部、５１ｄ…係合凸部、５１ｅ…本体部の側面、５１ｆ…背面部、６１ａ…媒体摺動面、９１ａ、９２ａ…圧接凸部、９３ａ…充填材
【図１】
2004253090.tif 000003
【図２】
2004253090.tif 000004
【図３】
2004253090.tif 000005
【図４】
2004253090.tif 000006
【図５】
2004253090.tif 000007
【図６】
2004253090.tif 000008
【図７】
2004253090.tif 000009
【図８】
2004253090.tif 000010
【図９】
2004253090.tif 000011
【図１０】
2004253090.tif 000012
【図１１】
2004253090.tif 000013
【図１２】
2004253090.tif 000014
【図１３】
2004253090.tif 000015
【図１４】
2004253090.tif 000016
【図１５】
2004253090.tif 000017
【図１６】
2004253090.tif 000018